(57)【要約】【課題】伝送速度を見かけ上向上させて立体画像表示を可能とする。する。【解決手段】右目用の左目用の画像データ信号を分割して情報信号である符号化情報ＭＤを生成し、情報ＭＤに付加情報ＦＤを付加して他の情報と共に多重化して送信する。この信号を受信して、受信信号から分離部３５で情報ＦＤと情報ＭＤを分離する。判別信号生成部４６では、情報ＦＤに基づき、情報ＭＤが右目用のデータ信号か左目用のデータ信号でるか判別して制御信号を生成する。この制御信号に基づいて記録部４７に例えば右目用情報ＭＤを記録する。この記録部４７に記憶された情報ＭＤと分離部３５で分離された左目用の情報ＭＤを立体画像表示装置５５に供給する。伝送速度が遅くとも、伝速速度を見かけ上向上させて立体画像表示を行う。【選択図】        図６
2007124705.tif 000002
【特許請求の範囲】
【請求項１】
関連する複数の情報信号のそれぞれに付加情報を付加して送信信号を生成する信号生成手段と、
上記送信信号を送信する信号送信手段と、
上記信号送信手段からの送信信号を受信する信号受信手段と、
上記信号受信手段で得られた受信信号から付加情報と情報信号を分離する分離手段と、
上記分離手段からの付加情報を判別して判別信号を生成する判別信号生成手段と、
上記判別信号生成手段からの判別信号に基づき上記分離手段からの情報信号を記録する記録手段とを有し、
上記関連する複数の情報信号が立体画像を生成するための画像信号であるとき、上記記録手段には、左目用あるいは右目用の一方の画像信号を記録するものとし、上記記録手段に記録されていない画像信号と上記記録手段に記録された画像信号を立体画像表示装置に供給して立体画像を表示させる
ことを特徴とする情報信号伝送装置。
【請求項２】
関連する複数の情報信号のそれぞれに付加情報を付加して送信された送信信号を受信する信号受信手段と、
上記信号受信手段で得られた受信信号から付加情報と情報信号を分離する分離手段と、
上記分離手段からの付加情報を判別して判別信号を生成する判別信号生成手段と、
上記判別信号生成手段からの判別信号に基づき上記分離手段からの情報信号を記録する記録手段とを有し、
上記関連する複数の情報信号が立体画像を生成するための画像信号であるとき、上記記録手段には、左目用あるいは右目用の一方の画像信号を記録するものとし、上記記録手段に記録されていない画像信号と上記記録手段に記録された画像信号を立体画像表示装置に供給して立体画像を表示させる
ことを特徴とする情報信号受信装置。
【発明の詳細な説明】
【技術分野】
【０００１】
この発明は情報信号伝送装置および情報信号受信装置に関する。詳しくは、関連する複数の情報信号のそれぞれに付加情報を付加して送信信号を生成して出力する。また送信信号を受信して得た受信信号から付加情報と情報信号を分離し、この付加情報を判別して記録手段に情報信号を記録する。さらに、この記録手段に記録された情報信号を利用することで、伝送速度を見かけ上向上させて立体画像表示を行うものである。
【背景技術】
【０００２】
ディジタル技術の発展に伴い、放送界でも放送信号を含めた各種情報をディジタル化したインタラクティブ形式の統合ディジタル放送システム（ＩＳＤＢ（Integrated Services Digital Broadcasting）システムという）が研究・開発されている。
【０００３】
具体的には、このＩＳＤＢシステムとは現行の放送信号（標準テレビジョン信号、ハイビジョン信号）を始めとして、ソフトウエアやファクシミリなどのデータ、さらには音声、文字、図形、画像などのマルチメディア情報をそれぞれディジタル化（符号化）し、それらを統合多重化した上で、伝送形態に合致した変調処理を施して送信するようにした放送システムのことである。
【０００４】
放送信号を含めた各種情報を統合多重化する場合、これらの情報の他に受信側での制御情報として使用する付加情報も同時に統合多重化されて送信することができる。統合化されたＩＳＤＢ用放送信号（ディジタル信号）は地上波、衛星波、光ケーブルなどを利用して送信される。
【０００５】
受信端末側では、統合化されたＩＳＤＢ用放送信号を受信して目的の信号を弁別することによってそれをモニタに表示させて通常のテレビ放送として楽しむことができることは勿論、記録手段を用いて記録（保存）したり、他の端末に転送したりすることができる。さらに受信した付加情報を利用すれば、モニタ制御、記録制御さらにはモニタされた画像に対する加工制御など、ユーザの好みに応じて受信情報を利用できることになる。つまり、対話形式（インタラクティブ）の放送システムを構築できる。
【０００６】
したがってこのＩＳＤＢシステムを利用すれば、送信される付加情報が多種、多様になる程、ユーザに対するサービス内容が向上し、より双方向的な放送システムを構築できる。
【発明の開示】
【発明が解決しようとする課題】
【０００７】
ところで、このようなＩＳＤＢ用放送信号等を伝送する情報信号伝送装置においても、伝送路の帯域幅によって単位時間当たりに伝送できるデータ量が制限されてしまう。このため、伝送速度が遅く情報信号のデータ量が多い場合、例えば立体画像を伝送することができない。
【０００８】
そこで、この発明では、伝送速度を見かけ上向上させて立体画像表示を可能とする情報信号伝送装置および情報信号受信装置を提供するものである。
【課題を解決するための手段】
【０００９】
この発明に係る情報信号伝送装置は、関連する複数の情報信号のそれぞれに付加情報を付加して送信信号を生成する信号生成手段と、上記送信信号を送信する信号送信手段と、上記信号送信手段からの送信信号を受信する信号受信手段と、上記信号受信手段で得られた受信信号から付加情報と情報信号を分離する分離手段と、上記分離手段からの付加情報を判別して判別信号を生成する判別信号生成手段と、上記判別信号生成手段からの判別信号に基づき上記分離手段からの情報信号を記録する記録手段とを有し、上記関連する複数の情報信号が立体画像を生成するための画像信号であるとき、上記記録手段には、左目用あるいは右目用の一方の画像信号を記録するものとし、上記記録手段に記録されていない画像信号と上記記録手段に記録された画像信号を立体画像表示装置に供給して立体画像を表示させるものである。
【００１０】
また、この発明に係る情報信号受信装置は、関連する複数の情報信号のそれぞれに付加情報を付加して送信された送信信号を受信する信号受信手段と、上記信号受信手段で得られた受信信号から付加情報と情報信号を分離する分離手段と、上記分離手段からの付加情報を判別して判別信号を生成する判別信号生成手段と、上記判別信号生成手段からの判別信号に基づき上記分離手段からの情報信号を記録する記録手段とを有し、上記関連する複数の情報信号が立体画像を生成するための画像信号であるとき、上記記録手段には、左目用あるいは右目用の一方の画像信号を記録するものとし、上記記録手段に記録されていない画像信号と上記記録手段に記録された画像信号を立体画像表示装置に供給して立体画像を表示させるものである。
【発明の効果】
【００１１】
この発明によれば、送信側では関連する複数の情報信号がそれぞれ付加情報を付加されて送信される。また受信側では分離手段によって情報信号と付加情報が分離され、この付加情報が判別信号生成手段によって判別されて判別信号が生成される。さらに判別信号に基づき、所望する情報信号が記録手段に記録される。ここで、関連する複数の情報信号が立体画像を生成するための画像信号であるとき、左目用あるいは右目用の一方の画像信号が記録されて、この記録された一方の画像信号と、記録手段に記録されていない画像信号である分離手段からの他方の画像信号とが立体画像表示装置に供給されて、立体画像の表示が行われる。
【００１２】
このため、記録手段に情報信号を記録すると共にこの記録された信号と分離手段からの情報信号を利用することで、信号の伝送速度を見かけ上向上させることができ、伝送速度が遅くとも立体画像の表示を行うことができる。
【発明を実施するための最良の形態】
【００１３】
続いて、この発明に係る情報信号伝送装置および情報信号受信装置について、図面を参照して詳細に説明する。
【００１４】
図１は、この発明に係る情報信号伝送装置の送信部の構成を示す図であって、本例では説明の便宜上統合されて送信される情報としては、多チャネル多重番組の放送信号であるものとする。そのそれぞれには制御情報などの付加情報が付加されて多重化される。この付加情報は多種多様な情報が考えられる。
【００１５】
図１において、端子１１-1aには例えば高精細の静止画像データ信号ＳＶＨが供給される。この静止画像データ信号ＳＶＨは信号分割部１２に供給されて、１画面分の静止画像データ信号ＳＶＨが所定のデータ量毎に分割される。この関連する複数の分割データ信号ＤＶＨは、符号化部１３-1で圧縮などを含めた適切な符号化処理が施されて符号化情報とされて多重化部２０に供給される。また信号分割部１２からは、符号化部１３-1に供給されたデータが分割データ信号ＤＶＨであるか否か、また分割データ信号ＤＶＨであるときには何番目の分割データ信号ＤＶＨであるか等を示す管理情報ＣＤが付加情報発生部１４-1に供給される。
【００１６】
付加情報発生部１４-1では、符号化部１３-1からの制御信号ＡＳに基づき、符号化部１３-1での符号化処理に同期して付加情報が生成される。この付加情報は管理情報ＣＤ等に基づいて生成されており、多重化部２０に供給される。
【００１７】
なお、端子１１-1bには音声信号ＳＡＮが供給され、符号化部１３-1で分割データ信号ＤＶＨと共に符号化処理が施される。
【００１８】
また、端子１１-2には、例えば主データ信号ＤＴＭと、この主データ信号ＤＴＭに関連する副データ信号ＤＴＳが順次供給される。この主データ信号ＤＴＭと副データ信号ＤＴＳは、符号化部１３-2で圧縮などを含めた適切な符号化処理が施されて符号化情報とされて多重化部２０に供給される。また、付加情報発生部１４-2では、符号化部１３-2からの制御信号ＡＴに基づき、符号化部１３-2での符号化処理に同期して符号化処理されたデータが主データ信号ＤＴＭであるか副データ信号ＤＴＳであるかを示す付加情報が生成される。この付加情報は多重化部２０に供給される。
【００１９】
さらに、多重化部２０には、端子１１-3〜１１-nに供給された信号によって符号化部１３-3〜１３-nや付加情報発生部１４-3〜１４-nで生成された符号化情報や付加情報が供給されており、多重化部２０に供給されたこれらの情報が例えば図２に示すようにパケット化される。
【００２０】
図２において、パケットのヘッダ領域は付加情報の領域であり、データ領域は符号化情報の領域である。このヘッダ領域では、データ領域の符号化情報が分割データ信号ＤＶＨに基づくものであるか否か、また分割データ信号ＤＶＨに基づくものであるときには何番目の分割データ信号ＤＶＨであるか、あるいは主データ信号ＤＴＭであるか副データ信号ＤＴＳであるか等の管理情報、パケットの識別コード、データ領域の有効データサイズ等が示される。
【００２１】
このパケットには、例えば図３に示すように誤り訂正符号が付加されると共にパケットと直交する方向にパケットの付加情報や符号化情報のデータが選択されて伝送フレームに多重化される。なお、伝送フレームにはフレーム同期信号が付加されて多重化信号、すなわちビットストリームが生成される。
【００２２】
多重化部２０からの多重化データは信号変調部２１で送信手段（例えば放送衛星）に適した送信形態となされたＩＳＤＢ用放送信号に変調されたのち、この例ではアップコンバータ２２を経て送信アンテナ（パラボラアンテナ）２３で放送衛星に向けて送信される。
【００２３】
図４は、情報信号伝送装置の受信部（情報信号受信装置）の構成を示しており、上述したようなＩＳＤＢ用放送信号が受信される。
【００２４】
受信アンテナ（パラボラアンテナ）３１で受信した衛星波はダウンコンバータ３２によって１ＧＨｚ帯にダウンコンバートされ、その後ＩＳＤＢ用チューナ３３に供給されて選局処理が行なわれる。
【００２５】
選局されたＩＳＤＢ用放送信号は信号復調部３４に供給されて復調されてから、分離部３５に供給される。分離部３５では復調信号が分離される。この分離部３５で得られた付加情報ＦＤは判別信号生成部３６に供給されると共に、複数の符号化情報は記録部３７に供給される。
【００２６】
判別信号生成部３６では、付加情報ＦＤに基づき制御信号ＥＡが生成される。この制御信号ＥＡは記録部３７に供給される。
【００２７】
記録部３７では、制御信号ＥＡに基づいて選択された符号化情報が所定の領域に記録される。さらに、制御信号ＥＡに基づき１画面分の符号化情報が記録部３７に供給されたことが判別されたときには、この１画面分の符号化情報ＮＤが記録部３７から読み出されて復号化部３８に供給される。
【００２８】
復号化部３８では、供給された１画面分の符号化情報ＮＤが復号化されて１画面分の高精細の静止画像データ信号ＳＶＨとされる。なお静止画像データ信号ＳＶＨが画像表示装置（図示せず）に供給されて、高精細な画像が画像表示装置で表示される。
【００２９】
次に動作について説明する。例えば、１画面分の高精細の静止画像データ信号ＳＶＨは通常のテレビジョン画像の１フレーム分のデータ量の３０倍のデータ量である場合、信号分割部１２では、１画面分の高精細の静止画像データ信号ＳＶＨが３０個の分割データ信号ＤＶＨとされる。符号化部１３-1では分割データ信号ＤＶＨ毎にデータを符号化して符号化情報とする。このとき、付加情報発生部１４-1では、管理情報ＣＤに基づき符号化部１３-1で生成された符号化情報が分割データ信号ＤＶＨに基づくものであると共に何番目の分割データ信号ＤＶＨに基づくものであるかを示す付加情報が生成されて符号化情報に付加されてパケット化され、さらに他の符号化情報等と共に送信される。
【００３０】
この送信信号を受信すると、分離部３５では付加情報ＦＤと符号化情報ＭＤが分離される。ここで、判別信号生成部３６によって、付加情報ＦＤから符号化情報ＭＤが分割データ信号ＤＶＨに基づくものであることが判別されると、制御信号ＥＡに基づき符号化情報ＭＤが記録部３７に記録される。ここで、付加情報ＦＤによって、１番目の分割データ信号ＤＶＨに基づく符号化情報から３０番目の分割データ信号ＤＶＨに基づく符号化情報までの情報が記録部３７に記録されると、記録された符号化情報が読み出されて復号化部３８で復号化される。このため、復号化部３８から１画面分の高精細の静止画像データ信号ＳＶＨを得ることができる。
【００３１】
このように、上述の実施の形態によれば、データが分割されて管理情報と共に伝送されるので、管理情報を利用してデータが元の状態に容易に戻すことができ、伝送データ量が多い情報も簡単に伝送することができる。
【００３２】
次に、図５を使用して情報信号伝送装置の受信部の他の構成について説明する。なお、図５において図４と対応する部分については同一符号を付しその詳細な説明は省略する。
【００３３】
分離部３５で得られた付加情報ＦＤは判別信号生成部４６に供給されると共に、複数の符号化情報ＭＤは記録部４７および信号選択部４８に供給される。
【００３４】
判別信号生成部４６では、付加情報ＦＤに基づき制御信号ＥＢが生成される。この制御信号ＥＢは記録部４７に供給される。また選択信号ＳＣが生成されて信号選択部４８に供給される。
【００３５】
記録部４７では、制御信号ＥＢに基づいて選択された符号化情報ＭＤが記録される。さらに、制御信号ＥＢに基づき記録部４７に記録された符号化情報ＷＤが記録部４７から読み出されて信号選択部４８に供給される。
【００３６】
信号選択部４８では、判別信号生成部４６からの選択信号ＳＣに基づいて符号化情報ＭＤあるいは符号化情報ＷＤのいずれかの情報が選択されて復号化部３８に供給される。
【００３７】
復号化部３８では、供給された符号化情報ＭＤあるいは符号化情報ＷＤが復号化されて主データ信号ＤＴＭあるいは副データ信号ＤＴＳとされる。なお主データ信号ＤＴＭあるいは副データ信号ＤＴＳが画像表示装置（図示せず）に供給されて画像表示が行われる。
【００３８】
次に動作について説明する。例えば、放送番組を伝送する場合、番組の画像や音声を主データ信号ＤＴＭとし、番組の内容の一部や番組で用いられる資料あるいは番組のシナリオ等を副データ信号ＤＴＳとする。この副データ信号ＤＴＳは、主データ信号ＤＴＭの伝送に先立ち符号化部１３-2で符号化されて、付加情報発生部１４-2で生成された副データ信号ＤＴＳであることを示す付加情報と共にパケット化され、さらに他の符号化情報等と共に送信される。その後、主データ信号ＤＴＭが符号化部１３-2で符号化されて、付加情報発生部１４-2で生成された主データ信号ＤＴＭであることを示す付加情報と共にパケット化され、さらに他の符号化情報等と共に送信される。
【００３９】
この送信信号を受信すると、分離部３５では付加情報ＦＤと符号化情報ＭＤが分離される。ここで、判別信号生成部４６によって、付加情報ＦＤから符号化情報ＭＤが副データ信号ＤＴＳであることが判別されると、制御信号ＥＢに基づき符号化情報ＭＤが記録部４７に記録される。次に、判別信号生成部４６によって、付加情報ＦＤから符号化情報ＭＤが主データ信号ＤＴＭであることが判別されると、制御信号ＥＣに基づき信号選択部４８で符号化情報ＭＤが選択されて復号化部３８で復号化される。このため、復号化部３８から主データ信号ＤＴＭを得ることができる。また、判別信号生成部４６からの制御信号ＥＢによって記録部４７に記録された符号化情報ＷＤが読み出されて、選択信号ＳＣに基づきこの符号化情報ＷＤが信号選択部４８で選択されて復号化部３８に供給される。このため、情報の伝送時間を要することなく、速やかに復号化部３８から副データ信号ＤＴＳを得ることができる。なお、選択信号ＳＣは外部から供給するものとしてもよい。
【００４０】
また、主データ信号ＤＴＭと副データ信号ＤＴＳを左目用の画像データ信号と右目用の画像データ信号とした場合には、図６に示すよう判別信号生成部４６からの制御信号ＥＢによって、例えば右目用の画像データ信号の符号化情報を記録部４７に記録するものとし、左目用の画像データ信号の符号化情報ＭＤとタイミングをあわせて記録部４７から記録された符号化情報ＷＤを読み出して、それぞれの符号化情報ＭＤ，ＷＤを復号化部５０，５１で復号化し、さらにＤ／Ａ変換部５２，５３でアナログの画像信号ＶL，ＶRとして立体画像表示装置５５に供給するものとすれば立体画像を表示することができる。
【００４１】
このように、上述の実施の形態によれば、主データ信号ＤＴＭを得ているときでも、記録部４７に記録されている符号化情報を読み出すことで、見かけ上の伝送レートを向上させることができる。また伝送レートの向上によって画質の向上や立体画像等の提供も可能となる。
【００４２】
なお、情報信号は画像データ信号を符号化した符号化情報に限られるものではなく、音声データやコンピュータデータ等基づくものであってもよいことは勿論である。
【図面の簡単な説明】
【００４３】
【図１】この発明に係る情報信号伝送装置の送信部の構成を示す図である。
【図２】パケットの構成を示す図である。
【図３】ＩＳＤＢの信号フォーマットを示す図である。
【図４】この発明に係る情報信号伝送装置の受信部の構成を示す図である。
【図５】受信部の他の構成を示す図である。
【図６】立体画像の情報を受信する受信部の要部を示す図である。
【符号の説明】
【００４４】
１２・・・信号分割部、１３-1，１３-2，〜１３-n・・・符号化部、１４-1，１４-2，〜１４-n・・・付加情報発生部、２０・・・多重化部、２１・・・信号変調部、２２・・・アップコンバータ、２３・・・送信アンテナ、３１・・・受信アンテナ、３２・・・ダウンコンバータ、３３・・・ＩＳＤＢ用チューナ、３４・・・信号復調部、３５・・・信号分離部、３６，４６・・・判別信号生成部、３７，４７・・・記録部、３８，５０，５１・・・復号化部、４８・・・信号選択部、５２，５３・・・Ｄ／Ａ変換部、５５・・・立体画像表示装置
【図１】
2007124705.tif 000003
【図２】
2007124705.tif 000004
【図３】
2007124705.tif 000005
【図４】
2007124705.tif 000006
【図５】
2007124705.tif 000007
【図６】
2007124705.tif 000008